(57)【要約】【課題】吐出口を全閉状態としても、送風機内に空気の流れを生させ、モータの冷却を図ることのできる送風機を提供する。【解決手段】送風機１０は、モータ２０と、モータ２０のシャフト２２に取り付けられた送風用ファン３０と、送風用ファン３０を囲んで配置されるとともに吸入口５１が形成された吸気カバー５０と、吸気カバー５０に結合されモータ２０を囲んで配置されるともに吐出口４１が形成されたケーシング４０と、を備える。そして、ケーシング４０とモータ２０のステータ２４を固定するブッシング２１のフランジ部２１Ａにケーシング４０とともに形成されたベントホール７０と、ブッシング２１のフランジ部２１Ａの送風用ファン３０側の端面に配置したプレート８０と、プレート８０のベントホールと対向する箇所にスリットの形成による弁部８１と、が設けられている。【選択図】  図１
2013104382.tif 000002
【特許請求の範囲】
【請求項１】
モータと、前記モータのシャフトに取り付けられた送風用ファンと、前記送風用ファンを囲んで配置されるとともに吸入口が形成された吸気カバーと、  前記吸気カバーに結合され前記モータを囲んで配置されるともに吐出口が形成されたケーシングと、を備える送風機であって、
前記ケーシングと前記モータのステータを固定するブッシングのフランジ部に前記ケーシングとともに形成されたベントホールと、前記ブッシングの前記フランジ部の前記送風用ファン側の端面に配置した第１プレートと、該第１プレートの前記ベントホールと対向する箇所にスリットの形成による弁部と、が設けられていることを特徴とする送風機。
【請求項２】
前記吸気カバーの吸気方向に面する箇所に設けられた吸気孔と、前記吸気カバーの内側に配置された第２プレートと、該第２プレートの前記吸気孔と対向する箇所にスリットの形成による弁部と、が設けられていることを特徴とする請求項１に記載の送風機。
【請求項３】
前記第１プレートに形成されたスリットからなる弁部は、前記吸気カバーと前記ケーシングで囲まれる空間の圧力が所定の値以上になると弾性変形して開動することを特徴とする請求項１に記載の送風機。
【請求項４】
前記第１プレートに形成されたスリットからなる弁部は、モータのシャフトの周囲に複数個形成されていることを特徴とする請求項１に記載の送風機。
【請求項５】
前記第２プレートに形成されたスリットからなる弁部は、前記吸入口の周囲に複数個形成されていることを特徴とする請求項２に記載の送風機。
【発明の詳細な説明】
【技術分野】
【０００１】
本発明は送風機に係り、特に、たとえば遠心ブロア等のような送風機に関する。
【背景技術】
【０００２】
送風機は、モータの回転によって駆動される送風用ファンを備え、この送風用ファンによって、吸入口から空気を取り入れるともに吐出口から空気を吐き出させるように構成されている。
【０００３】
この場合、たとえば下記特許文献１に示すように、吸入口から吐出口の間の空気の流路内に、送風用ファンはもちろんのこと、該送風用ファンを回転させるモータも配置させた構成のものが知られている。
【０００４】
なお、本発明に関連する他の公知文献としては、下記特許文献２および特許文献３がある。特許文献２には、低風量状態となった際に、ファン側の空気圧がモータケース側より相対的に小さくなり、整流板に設けられたリーク弁によって、モータケース側からファン側へと空気が流れ、整流板の熱変形を防止した技術が開示されている。また、特許文献３には、管路の一部に、形状記憶合金にスリットを形成することによって構成される弁が設けられ、管路を流れる気体が所定温度になると、該弁が開動して気体を放出する技術が開示されている。
【先行技術文献】
【特許文献】
【０００５】
【特許文献１】特開平6-346890号公報
【特許文献２】特開2005-113711号公報
【特許文献３】特開平6-221453号公報
【発明の概要】
【発明が解決しようとする課題】
【０００６】
しかし、上述した送風機は、たとえば吐出口を全閉した場合に、モータが配置されている送風機の内部に空気が流入されなくなるため、モータの冷却効果が損なわれるようになっていた。
【０００７】
この場合、送風機の改良を安価に行うためにも、極めて簡単な構成によって上記不都合を解消することが望まれる。
【０００８】
本発明は、このような事情に基づいてなされたものであり、その目的は、簡単な構成にも拘わらず、吐出口を全閉状態としても、送風機内に空気の流れを生じさせ、モータの冷却を図ることのできる送風機を提供することにある。
【課題を解決するための手段】
【０００９】
このような目的を達成するために、本発明は、吐出口を全閉状態とした場合、送風機内の気圧が大きく変化することに鑑み、スリットで形成した弁が開動し、これにより送風機内に空気が流れ、送風機内に配置されたモータを冷却できるように構成したものである。
【００１０】
本発明は、以下のような構成によって把握される。
（１）本発明の送風機は、モータと、前記モータのシャフトに取り付けられた送風用ファンと、前記送風用ファンを囲んで配置されるとともに吸入口が形成された吸気カバーと、  前記吸気カバーに結合され前記モータを囲んで配置されるともに吐出口が形成されたケーシングと、を備える送風機であって、前記ケーシングと前記モータのステータを固定するブッシングのフランジ部に前記ケーシングとともに形成されたベントホールと、前記ブッシングの前記フランジ部の前記送風用ファン側の端面に配置した第１プレートと、該第１プレートの前記ベントホールと対向する箇所にスリットの形成による弁部と、が設けられていることを特徴とする。
（２）本発明の送風機は、（１）の構成において、前記吸気カバーの吸気方向に面する箇所に設けられた吸気孔と、前記吸気カバーの内側に配置された第２プレートと、該第２プレートの前記吸気孔と対向する箇所にスリットの形成による弁部と、が設けられていることを特徴とする。
（３）本発明の送風機は、（１）の構成において、前記プレートに形成される前記スリットからなる弁部は、前記吸気カバーと前記ケーシングで囲まれる空間の圧力が所定の値以上になると弾性変形して開動することを特徴とする。
（４）本発明の送風機は、（１）の構成において、前記第１プレートに形成されたスリットからなる弁部は、モータのシャフトの周囲に複数個形成されていることを特徴とする。
（５）本発明の送風機は、（２）の構成において、前記第２プレートに形成されたスリットからなる弁部は、前記吸入口の周囲に複数個形成されていることを特徴とする。
【発明の効果】
【００１１】
このように構成した送風機によれば、簡単な構成にも拘わらず、吐出口を全閉状態としても、送風機内に空気の流れを生じさせ、モータの冷却を図ることができる。
【図面の簡単な説明】
【００１２】
【図１】本発明の送風機の実施態様１を示す上面図および断面図である。
【図２】本発明の送風機に具備されるプレートを示した平面図である。
【図３】プレートの弁部の構成を示す拡大図である。
【図４】図３のIV（ａ）−IV（ａ）線における断面図、IV（ｂ）−IV（ｂ）線における断面図である。
【図５】本発明の送風機の実施態様２を示す断面図である。
【図６】実施態様２に示す送風機に具備されるプレートを示した平面図である。
【図７】本発明の実施態様４における構成を示す説明図である。
【発明を実施するための形態】
【００１３】
以下、添付図面を参照して、本発明を実施するための形態（以下、実施形態という）について詳細に説明する。なお、実施形態の説明の全体を通して同じ要素には同じ番号を付している。
（実施態様１）
図１（ａ）、（ｂ）は、本発明による送風機の実施態様１を示す図である。図１（ａ）は上面図、図１（ｂ）は図１（ａ）のｂ−ｂ線における断面図である。図１（ａ）、（ｂ）において、送風機１０には、まず、たとえばブラシレスＤＣモータからなるモータ２０が具備されている。このモータ２０は、円筒状のブッシング２１を備え、このブッシング２１の中心軸に沿った内部にはシャフト２２が配置されている。シャフト２２は、ブッシング２１の両端側のそれぞれにおいて軸受２３Ａ、２３Ｂを介してブッシング２１に軸支され、その一端はブッシング２１から比較的長く突出されて形成されている。
【００１４】
ブッシング２１の外周には、モータ２０のステータ２４が配置され、このステータ２４は、コア（図示せず）と、このコアに装着される絶縁膜（図示せず）と、この絶縁膜に巻回されるコイル２５とから構成されている。
【００１５】
ステータ２４の外周には、ロータ２６が取り付けられている。このロータ２６は、シャフト２２のブッシング２１から突出した箇所において固定された有底円筒状のヨーク２７と、このヨーク２７の内周面に固着されたマグネット２８とから構成されている。これにより、ヨーク２７はステータ２４の外周面を包囲し、マグネット２８はステータ２４の外周面と半径方向の隙間を介して対向して構成されている。
【００１６】
モータ２０のシャフト２２には、ヨーク２７が取り付けられた箇所から先端の間において送風用ファン３０が取り付けられている。
【００１７】
そして、上述のように構成されたモータ２０の周辺にはケーシング４０が配置されている。ケーシング４０はたとえば有底円筒形状の該底面の中央にブッシング２１の一端を露出させるようにして形成され、その周側面の一部には吐出口４１が設けられるようになっている。ブッシング２１の前記一端の近傍には、その外周を取り巻くフランジ部２１Ａが設けられ、このフランジ部２１Ａの送風用ファン３０側と反対の端面においてケーシング４０との固定がなされるようになっている。
【００１８】
また、送風用ファン３０の周辺には吸気カバー５０が配置されている。吸気カバー５０は前記ケーシング４０の側において開口端を有し、この開口端はケーシング４０の開口端と結合されるようになっている。ケーシング４０と吸気カバー５０の結合は、それぞれの開口端にフランジ５０Ａ、４０Ａが設けられ、これらフランジ５０Ａ、４０Ａの部分において螺子６０が螺入されることによってなされている。また、吸気カバー５０には、たとえばモータ２０のシャフト２２と同軸となるように形成された円形の吸入口５１が形成されている。
【００１９】
このように構成された送風機１０は、吸入口５１から吐出口４１の間の空気の流路内に、送風用ファン３０、該送風用ファン３０を回転させるモータ２０が配置され、モータ２０が駆動されることによって、送風用ファン３０が回転し、空気は吸入口５１から送風用ファン３０、モータ２０の周辺を通過して吐出口４１から吐出されるようになっている。
【００２０】
ここで、ブッシング２１のフランジ部２１Ａにケーシング４０とともにたとえば同軸に形成されたベントホール７０が形成されている。このベントホール７０は、図示されていないが、ブッシングのフランジ部の周方向に沿って等間隔にたとえば３個設けられている（図１（ａ）参照）。
【００２１】
そして、ブッシング２１のフランジ部２１Ａの前記送風用ファン３０側の端面にはプレート（この明細書において第１プレートと称する場合がある）８０が配置されている。このプレート８０は、たとえば、フランジ部２１Ａと内径および外径がほぼ同様の円環状の部材から構成されている。
【００２２】
このプレート８０は、図２に示すように、周方向に沿ってたとえば３個の弁部８１が等間隔に設けられている。これら各弁部８１は、ブッシング２１のフランジ部２１Ａに形成されたベントホール７０に対向する箇所に設けられるようになっている。なお、プレート８０には、互いに隣接する弁部８１の間に、ブッシング２１のフランジ部２１Ａとの固定を図るための螺子挿入孔８４が設けられている。
【００２３】
前記各弁部８１は、ブッシング２１のフランジ部２１Ａに形成されたベントホール７０に対向する箇所（図中点線丸で示す）において、ほぼｘ状に切り欠かれたスリット８２によって構成されている。このようなスリット８２によって、弁８２Ｐが形成されることになり、吸気カバー５０とケーシング４０で囲まれる空間（送風機内）の圧力が所定の値以上になると弾性変形して開動するように構成させることができる。
【００２４】
図３（ａ）は、弁部８１におけるスリット８２を拡大して示した斜視図である。図３（ａ）に示すように、スリット８２の形成により、弁部８１には、円弧形の２個の弁８２Ｐが先端部を対向させて形成されるようになっている。そして、図３（ｂ）は、プレート８０の表裏側のそれぞれに圧力差（図中プレート８０の裏側において圧力が大きい）が生じた場合に、弁８２Ｐのそれぞれの先端が図中表側に移動して変形し、これによりスリット３２が開口し、プレート８０の裏側からプレート８０の表側への空気流路が形成されることになる。図３（ｂ）中、矢印αは、空気がスリット３２の開口を通してプレート８０の裏側から表側に流れている状態を示している。
また、図４（ａ）は、図３（ａ）のIV（ａ）−IV（ａ）における断面図を、図４（ｂ）は、図３（ｂ）のIV（ｂ）−IV（ｂ）における断面図を示している。
図４（ａ）で示すように、たとえば、プレート８０の裏面（送風用ファン３０側の面）における弁部８１の形成領域にはたとえば球面からなる凹陥部８３が形成されている。この凹陥部８３により、各弁部８１は基端側から先端にかけて厚さが徐々に小さくなるように形成されるようになっている。これにより、プレート８０の表裏面側の圧力差による弁８２Ｐの弾性変形の程度を調整することができる。しかし、この凹陥部８３は、必ずしも形成しなくてもよい。弁８２Ｐの弾性変形の調整はプレート８０の肉厚を所定の値に設定することによってもできるからである。また、図４（ｂ）は、プレート８０の表裏側の圧力差によって弁８２Ｐがプレート８０の表側（図中矢印Ａ方向）に変形し、スリット８２に開口が形成される状態を示している。
【００２５】
このように構成した送風機１０は、たとえ、吐出口４１を全閉状態でモータ２０を駆動させて運転しても、吸気カバー５０とケーシング４０で囲まれる空間の気圧が上昇する結果、プレート８０の弁部８１が開き、ベントホール７０を通して空気が排出されるため、送風機１０内に空気の流れが生じ、モータ２０の冷却が留まってしまう不都合を回避させることができるようになる。
【００２６】
また、このような効果は、ベントホール７０の形成、およびプレート８０におけるスリット８２の弁部８１の形成によって実現できることから、極めて簡単な構成とすることができる。
なお、前記ベントホール７０、およびスリット８２の弁部８１は、モータ２０のブッシング２１の周囲であって、モータ２０のコイル２５の直上に設けるようになっている。これにより、吸入口５１から弁部８１およびベントホール７０に至って空気が流れる際に、モータ２０のコイル２５の周辺には比較的大量の空気が流れ、モータ２０の冷却効果の向上を図ることができるようになる。
（実施態様２）
実施態様１では、吐出口４１側の周辺において弁部８１を構成し、吐出口４１が全閉状態となっても該弁部８１を自動的に開くようにして、モータ２０の周辺に空気を流すことができるようにしたものである。しかし、図５に示すように、さらに、吸入口５１が全閉状態となっても、同様に、モータ２０の周辺に空気を流すことができるように構成するようにしてもよい。
【００２７】
図５は、本発明の送風機の実施態様２を示す構成図で、図１（ａ）と対応づけて描いた図となっている。
【００２８】
図５において、図１と異なる構成は、まず、吸気カバー５０の吸入口５１の周辺に沿って等間隔にたとえば３個のベントホール７０’が形成されている（図３では１個のベントホール７０’が図示されている）。また、吸気カバー５０の内側面において、吸入口５１と対向する部分に開口が形成された円環状のプレート（この明細書において第２プレートと称する場合がある）８０’が配置されている。
このプレート８０’は、図６に示すように、周方向に沿ってたとえば３個の弁部８１’が等間隔に設けられている。これら各弁部８１’は、吸気カバー５０に形成されたベントホール７０’に対向する箇所に設けられるようになっている。
【００２９】
前記各弁部８１’は、吸気カバー５０に形成されたベントホール７０’に対向する箇所において、図２に示したように、ほぼｘ字状に切り欠いたスリット８２’によって構成されている。このようなスリット８２’によって、弁８２Ｐ’が形成されることになり、吸気カバー５０とケーシング４０で囲まれる空間（送風機内）の圧力が所定の値に以上になると弾性変形して開動するように構成させることができる。
【００３０】
これにより、さらに、吸入口５１を全閉状態でモータ２０を駆動させて運転した場合、吸気カバー５０とケーシング４０で囲まれる空間の吸入口５１付近の圧力が外気圧よりも低下する結果、弁部８１’が開き、ベントホール７０’を通して、該空間に空気の流れが生じることからモータ２０の冷却が留まってしまうことを回避させることができるようになる。
（実施態様３）
実施態様２では、吐出口４１および吸入口５１のいずれが全閉状態となっても、送風機内に空気が流れるように構成したものである。しかし、実施態様２で示した構成において、ベントホール、スリットからなる弁は、吸入口５１の近傍においてのみ設け、吐出口４１の近傍に設けないように構成するようにしてもよいことはいうまでもない。
（実施態様４）
上記実施態様では、プレート８０にほぼｘ字状に切り欠いたスリット８２、８２’を形成することにより弁８２Ｐ、８２Ｐ’を構成するようにしたものである。しかし、これに限定されることはなく、たとえば、図７（ａ）に示すように、ほぼ円形状でその一部を連結させることのない形状のスリット８２を形成することにより、図７（ｂ）に示すように、１個の円弧形状の弁８２Ｐを形成するようにしてもよい。このような趣旨から、弁部８１は、その弁８２Ｐの形状、および個数に限定されることはなく、種々の形状のスリット８２によって構成できるものであればよい。
【００３１】
以上説明したことから明らかとなるように、本発明の送風機によれば、簡単な構成にも拘わらず、吐出口を全閉状態としても、送風機内に空気の流れを生じさせ、モータの冷却を図ることができるようになる。
【００３２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【産業上の利用可能性】
【００３３】
本発明の送風機は、たとえば丁合機あるいは紙折機等に適用させることができる。これら丁合機あるいは紙折機等は、重ねて配置される複数の用紙をエアーで浮かせ、浮き上がった用紙の一枚目を、エアーでロータに吸い付かせ、そのままロータが回転することによって、用紙を送り出す機構を備えて構成される。この場合、前記エアーの供給において本発明の送風機を適用させることによって好適となる。また、吸込みを用途とする集塵機、掃除機や吹き出しを用途とする送風機等、使用上全閉状態が生じる送風機においても好適となる。
【符号の説明】
【００３４】
１０……送風機、２０……モータ、２１……ブッシング、２１Ａ……フランジ部、２２……シャフト、２３Ａ、２３Ｂ……軸受、２４……ステータ、２５……コイル、２６……ロータ、２７……ヨーク、２８……マグネット、３０……送風用ファン、５０……吸気カバー、４０Ａ……フランジ、４１……吐出口、４０……ケーシング、５０Ａ……フランジ、５１……吸入口、６０……螺子、７０、７０’……ベントホール、８０、８０’……プレート、８１、８１’……弁部、８２、８２’……スリット、８２Ｐ、８２Ｐ’……弁、８３……凹陥部、８４……螺子挿入孔。
【図１】
2013104382.tif 000003
【図２】
2013104382.tif 000004
【図３】
2013104382.tif 000005
【図４】
2013104382.tif 000006
【図５】
2013104382.tif 000007
【図６】
2013104382.tif 000008
【図７】
2013104382.tif 000009